(57)【特許請求の範囲】
【請求項１】
カメラを具備した端末機用据置台であり、
使用者の首にかけることができるようにベンディングされた形状をしたかけ台と、
前記端末機を装着する装着台と、及び
前記かけ台と前記装着台を連結する連結部と、
を含み、
前記装着台は、
前記連結部の中心に具備されて前記端末機が装着される長長しい六面体形状の装着胴体と、及び
前記装着胴体に貫通されてその長さ方向に長く形成されてその長さ方向に前記端末機の位置を調節するための一つ以上の位置調節孔と、
を含み、
前記一つ以上の位置調節孔は、
前記装着胴体の上下方向に貫通される第１位置調節孔と、及び
前記装着胴体の前後方向に貫通される第２位置調節孔と、
を含む
ことを特徴とするカメラを具備した端末機用据置台。
【請求項２】
前記カメラを具備した端末機用据置台は、
前記装着台に前記端末機を着脱可能に具備する着脱ユニットをさらに含むことを特徴とする請求項１に記載のカメラを具備した端末機用据置台。
【請求項３】
前記着脱ユニットは、
前記位置調節孔に挿入されるボルトと、及び
前記ボルトに締結されるナットを含んで、
前記着脱ユニットは前記ボルト及び前記ナットにより装着台に装着されることを特徴とする請求項２に記載のカメラを具備した端末機用据置台。
【請求項４】
前記着脱ユニットは、
前記ボルトまたは前記ナットに具備される球形収容部と、
前記球形収容部に収容されるボール部材と前記ボール部材の一側に突出形成される固定ねじを含むボールコネクターと、及び
前記球形収容部に具備されて前記ボール部材の移動を抑止するか、または解除するロックねじをさらに含む
ことを特徴とする請求項３に記載のカメラを具備した端末機用据置台。
【請求項５】
前記着脱ユニットは、
前記固定ねじに締結されて案内溝が形成されて第１係止突起を有する固定把持部材と、及び
前記案内溝にスライディング可能に具備されると共に弾性体によって前記固定把持部材に弾性結合されるか、または螺合されて第２係止突起を有する移動把持部材をさらに含んで、
前記端末機は前記第１及び第２係止突起の間に位置されて前記弾性体の復元力に把持されることを特徴とする請求項４に記載のカメラを具備した端末機用据置台。
【請求項６】
前記カメラを具備した端末機用据置台は、
前記ボルトまたは前記ナットに具備されるヘッドと、
前記ヘッドに凹入形成されて内周面に螺子山が形成される螺合孔と、及び
前記螺合孔に締結されて前記据置台の重心を取った後把持時その重心を維持させるスタビライザーと、
をさらに含むことを特徴とする請求項３に記載のカメラを具備した端末機用据置台。
【請求項７】
前記カメラを具備した端末機用据置台は、
前記連結部またはかけ台に挿入される帯形状の二次電池と、及び
前記装着台に具備されて前記二次電池と電気的に連結される充電端子と、
をさらに含むことを特徴とする請求項１に記載のカメラを具備した端末機用据置台。
【請求項８】
前記カメラを具備した端末機用据置台は、
前記かけ台または連結部に挿入されて外部機器と通信が可能な通信モジュールと、及び
前記かけ台または連結部に具備されて前記通信モジュールと外部イヤホンを電気的に連結するイヤホン端子と、
をさらに含むことを特徴とする請求項１に記載のカメラを具備した端末機用据置台。
【請求項９】
前記カメラを具備した端末機用据置台は、
前記かけ台または連結部に挿入されて外部機器と通信が可能な通信モジュールと、及び
前記かけ台または連結部に具備されて前記通信モジュールと電気的に連結されて前記外部機器を制御するリモコンと、
をさらに含むことを特徴とする請求項１に記載のカメラを具備した端末機用据置台。
【発明の詳細な説明】
【技術分野】
【０００１】
本発明は、カメラを具備した端末機に使用される据置台に関するものである。
【背景技術】
【０００２】
一般に、カメラを具備した端末機は、映像を撮影することができるカメラモジュールが具備されたすべての種類の端末機を含む概念のものであり、スマートフォン、スマートウォッチ、タブレットＰＣ、ブラックボックス、デジカメ、フィルムカメラ、キャムコーダなどがあり得る。
【０００３】
このような端末機を据置するために使用される既存のカメラを具備した端末機用据置台としては、設置位置がある一場所に固定された場所装着型据置台(place mounted bracket)と、使用者が直接手に持って使用するハンディー型据置台(hand type bracket)(一名、"セルカ棒"という)などが知られている。
【０００４】
しかし、既存の場所装着型据置台の場合、ある一場所に固定された状態で使用されるので、ここに端末機が据置されても使用者が移動するか、または活動する状況の映像は撮影することができない問題がある。また、既存のハンディー型据置台の場合、両手を自由に使用することができないので料理や運動など両手の使用を要する活動では使用することができない問題がある。
【発明の概要】
【発明が解決しようとする課題】
【０００５】
本発明の技術的課題は、使用者が活動する間に使用者の両手が使用される状況の映像を撮影できるカメラを具備した端末機用据置台を提供するものである。
【課題を解決するための手段】
【０００６】
前記目的を達成するために、本発明の実施例によるカメラを具備した端末機用据置台は、カメラを具備した端末機用据置台であり、使用者の首にかけることができるようにベンディングされた形状をしたかけ台と、前記端末機を装着する装着台と、及び前記かけ台と前記装着台を連結する連結部と、を含む。
【０００７】
前記かけ台は、使用者の首の後部分を囲むように湾曲された形状をした中心部と、及び前記中心部の両端にそれぞれ延長されて使用者の肩と胸を囲むように湾曲された形状をした第１及び第２端部を含むことができる。
【０００８】
前記第１端部、前記中心部、そして前記第２端部は順次につながって第１及び第２面を有する一つの板形部材でなされることができるし、前記中心部の前記第１面が使用者の首を向けて置かれる場合、前記第１端部の前記第１面が使用者の一側の肩と胸を向けて置かれるように前記第１端部は前記中心部に対して拗じれた形状を有して、前記第２端部の前記第１面が使用者の他側の肩と胸を向けて置かれるように前記第２端部は、前記中心部に対して拗じれた形状を有することができる。
前記中心部は使用者の首の後部分にかかって、前記第１及び第２端部は使用者の肩と胸に支持されることができる。
前記かけ台にはその長さ方向に長く一つ以上の第１バンドホールが形成されることができる。
前記第１バンドホールには使用者の身体に接触されるクッション部材が具備されることができる。
【０００９】
前記連結部は、前記装着台の一端と前記第１端部を連結する第１連結台と、前記装着台の他端と前記第２端部を連結する第２連結台と、前記第１連結台と前記第１端部を回動可能に連結する第１回動部と、及び前記第２連結台と前記第２端部を回動可能に連結する第２回動部と、を含むことができる。
前記かけ台、前記連結部、そして前記装着台はお互いに連結されて閉曲線形態の掛けがね形状をなすことができる。
【００１０】
前記第１及び第２連結台は板形部材でなされることができるし、前記第１及び第２連結台の間隔が前記第１及び第２端部で前記装着台に向けてますます小くなるように前記第１及び第２連結台は、その幅方向に湾曲された形状を有することができる。
前記第１及び第２連結台にはその長さ方向で長く一つ以上の第２バンドホールが形成されることができる。
【００１１】
前記装着台は、前記連結部の中心に具備されて前記端末機が装着される長長しい形状の装着胴体と、及び前記装着胴体に貫通されてその長さ方向に長く形成されてその長さ方向に前記端末機の位置を調節するための一つ以上の位置調節孔を含むことができる。
【００１２】
前記装着胴体は長長しい六面体形状をすることができて、前記一つ以上の位置調節孔は、前記装着胴体の上下方向に貫通される第１位置調節孔と、及び前記装着胴体の前後方向に貫通される第２位置調節孔を含むことができる。
前述した本発明の実施例によるカメラを具備した端末機用据置台は、前記装着台に前記端末機を着脱可能に具備する着脱ユニットをさらに含むことができる。
【００１３】
前記着脱ユニットは、前記位置調節孔に挿入されるボルトと、及び前記ボルトに締結されるナットを含むことができるし、この場合前記端末機は前記ボルトまたは前記ナットに具備されることができる。
【００１４】
前記着脱ユニットは、前記ボルトまたは前記ナットに具備される球形収容部と、前記球形収容部に収容されるボール部材と該ボール部材の一側に突出形成される固定ねじを含むボールコネクターと、及び前記球形収容部に具備されて前記ボール部材の移動を遮断するか、または許可するロックねじをさらに含むことができるし、この場合前記端末機は前記固定ねじに螺合されることができる。
【００１５】
前記着脱ユニットは、前記固定ねじに締結されて案内溝が形成されて第１係止突起を有する固定把持部材と、及び前記案内溝にスライディング可能に具備されると共に弾性体によって前記固定把持部材に弾性結合されるか、または螺合されて第２係止突起を有する移動把持部材をさらに含むことができるし、この場合前記端末機は前記第１及び第２係止突起の間に位置されて前記弾性体の復元力で把持されることができる。
【００１６】
前述した本発明の実施例によるカメラを具備した端末機用据置台は、前記ボルトまたは前記ナットに具備されるヘッドと、該ヘッドに凹入形成されて内周面に螺糸山が形成される螺合孔と、及び前記螺合孔に締結されて前記据置台の重心を取った後把持時にその重心を維持させるスタビライザーをさらに含むことができる。
【００１７】
前記連結部は、前記第１連結台と前記装着台の一端の間を連結する第３連結台と、前記第２連結台と前記装着台の他端の間を連結する第４連結台と、前記第１連結台と前記第３連結台を回動可能に連結する第３回動部と、及び前記第２連結台と前記第４連結台を回動可能に連結する第４回動部からねをさらに含むことができる。
【００１８】
前述した本発明の実施例によるカメラを具備した端末機用据置台は、前記連結部またはかけ台に挿入される帯形状の二次電池と、及び前記装着台に具備されて前記二次電池と電気的に連結される充電端子をさらに含むことができる。
【００１９】
前述した本発明の実施例によるカメラを具備した端末機用据置台は、前記かけ台または連結部に挿入されて外部機器と通信が可能な通信モジュールと、及び前記かけ台または連結部に具備されて前記通信モジュールと外部イヤホンを電気的に連結するイヤホン端子をさらに含むことができる。
【００２０】
前述した本発明の実施例によるカメラを具備した端末機用据置台は、前記かけ台または連結部に挿入されて外部機器と通信が可能な通信モジュールと、及び前記かけ台または連結部に具備されて前記通信モジュールと電気的に連結されて前記外部機器を制御するリモコンをさらに含むことができる。
前記かけ台と前記連結部は金属プレートと金属プレートを囲む柔軟性ポリマーまたは皮を含むことができる。
【００２１】
一方、他の例で、前記装着台は、前記連結部の中心に具備される長長しい円筒形状の円筒バーと、及び前記円筒バーと前記端末機を連結する連結ユニットを含んで、前記連結ユニットは、前記円筒バーを収容する英文アルファベット“Ｕ”字形状の連結ブラケットと、前記連結ブラケットの両端部を貫通して具備されて前記連結ブラケットの両端部をお互いに向い合う方向に締めるか、またはその反対に解く両端絞りボルトと、及び前記連結ブラケットの中心部の外側に具備されて前記端末機と締結される端末機締結ボルトを含むことができる。
【発明の効果】
【００２２】
以上でのように、本発明の実施例によるカメラを具備した端末機用据置台は次のような効果を有することができる。
【００２３】
本発明の実施例によれば、かけ台と、装着台と、そして連結部を含む技術構成を提供するので、使用者が運動や料理などのような活動をするうちに使用者の両手が使用される状況である運動する状況や料理する状況などの映像を撮影することができる。
【図面の簡単な説明】
【００２４】
【図１】本発明の一実施例によるカメラを具備した端末機用据置台を概略的に示した側面斜視図である。
【図２】本発明の一実施例によるカメラを具備した端末機用据置台を概略的に示した正面斜視図である。
【図３】本発明の一実施例によるカメラを具備した端末機用据置台が底に置かれた状態を概略的に示した斜視図である。
【図４】本発明の一実施例によるカメラを具備した端末機用据置台が折畳まれた状態を概略的に示した斜視図である。
【図５】図３の“Ａ”部拡大図である。
【図６】本発明の一実施例によるカメラを具備した端末機用据置台が使用者の身体に着用された状態を概略的に示した図面である。
【図７】本発明の他の実施例によるカメラを具備した端末機用据置台を概略的に示した図面である。
【図８】本発明のまた他の実施例によるカメラを具備した端末機用据置台を概略的に示した図面である。
【図９】本発明のまた他の実施例によるカメラを具備した端末機用据置台を概略的に示した図面である。
【図１０】図９のスタビライザーがボルトの頭に締結された状態を示した断面図である。
【図１１】本発明のまた他の実施例によるカメラを具備した端末機用据置台のうち装着台を概略的に示した図面である。
【図１２】図１１の装着台をＸＩＩ-ＸＩＩ線で切って見た断面図である。
【発明を実施するための形態】
【００２５】
以下、添付した図面を参照して本発明の実施例に対して本発明が属する技術分野で通常の知識を有した者が容易に実施できるように詳しく説明する。しかし、本発明はいろいろの相異な形態で具現されることができるし、ここで説明する実施例に限定されない。
【００２６】
図１は、本発明の一実施例によるカメラを具備した端末機用据置台を概略的に示した側面斜視図であり、図２は本発明の一実施例によるカメラを具備した端末機用据置台を概略的に示した正面斜視図である。
【００２７】
図３は、本発明の一実施例によるカメラを具備した端末機用据置台が底に置かれた状態を概略的に示した斜視図であり、図４は本発明の一実施例によるカメラを具備した端末機用据置台が折畳まれた状態を概略的に示した斜視図である。
【００２８】
図５は図３の“Ａ”部拡大図であり、図６は本発明の一実施例によるカメラを具備した端末機用据置台が使用者の身体に着用された状態を概略的に示した図面である。
【００２９】
本発明の一実施例によるカメラを具備した端末機用据置台１００は、図１乃至図６に示されたように、かけ台１１０と、装着台１２０と、そして連結部１３０を含む。以下、図１乃至図６を続いて参照して、各構成要素に対して詳しく説明する。  
【００３０】
かけ台１１０は、図１及び図６に示されたように使用者の首にかけることができるようにベンディング(bending)された形状を有する構成要素である。よって、かけ台１１０を通じて本発明の端末機用据置台１００を首にかけることができて、使用者の両手が自由になることができる。
【００３１】
具体的に、かけ台１１０は、図１、図２、図３及び図６に示されたように、中心部１１１と、そして第１及び第２端部１１２、１１３を含むことができる。中心部１１１は使用者の首の後部分を囲むように湾曲された形状を有することができるし、第１及び第２端部１１２、１１３は中心部１１１の両端にそれぞれ延長されて使用者の肩と胸を囲むように湾曲された形状を有することができる。よって、中心部１１１を通じて本発明の端末機用据置台１００を使用者の首にかけることができるし、これと共に第１及び第２端部１１２、１１３を通じて本発明の端末機用据置台１００を使用者の肩と胸に支持することができる。特に、該当身体部分を囲むとか密着されるように湾曲された形状を有するので身体との接触を最大にすることができて、すなわち、身体と一身になる効果を与えることができて、使用者が料理などをする場合使用者に安定的で楽な活動を保障することができる。
【００３２】
延いては、図１、図２、図３及び図６に示されたように、第１端部１１２、中心部１１１、そして第２端部１１３は順次につながって第１及び第２面１１０ａ、１１０ｂを有する一つの板形部材(plate member)でなされることができる。特に、中心部１１１の第１面１１０ａが使用者の首を向けて置かれる場合、第１端部１１２の第１面１１０ａが使用者の一側の肩と胸を向けて置かれるように第１端部１１２は中心部１１１に対して拗じれた形状を有することができるし、第２端部１１３の第１面１１０ａが使用者の他側の肩と胸を向けて置かれるように第２端部１１３は中心部１１１に対して拗じれた形状を有することができる。よって、かけ台１１０が板形部材で作られながらも、このような拗じれ形状を通じて襟のように柔らかく首に繰り合わせて胸で下ることができるようになって、身体に対してより安定的で楽に着用されることができる。
【００３３】
このような構成で、図６に示されたように、中心部１１１は使用者の首の後部分にかかって、第１及び第２端部１１２、１１３は使用者の肩と胸に支持されることができる。
【００３４】
これと併せて、かけ台１１０にはその長さ方向に長く一つ以上の第１バンドホール(first band hole)１１０ｃが形成されることができる。このような第１バンドホール１１０ｃは拗じれ強度や撓め強度を補強して使用や保管中にかけ台１１０が拗じれるか、または撓う現象を阻む役割をする。
【００３５】
延いては、図示されなかったが、第１バンドホール１１０ｃには使用者の身体に接触されるクッション部材(cushion member)(図示せず)が具備されることができる。よって、かけ台１１０が身体に接しながら身体に加えられる力をこのクッション部材を通じて分散させることができて、かけ台１１０をより柔らかくて楽に身体に着用することができる。  
【００３６】
装着台１２０は、端末機１０が装着される構成要素であり、図１乃至図６に示されたように装着胴体１２１及び一つ以上の位置調節孔１２２を含むことができる。
【００３７】
装着胴体１２１は端末機１０が装着される所であり、連結部１３０の中心に長長しい形状を持てば具備されることができるし、一つ以上の位置調節孔１２２は装着胴体１２１に貫通されて装着胴体１２１の長さ方向に長く形成されることができる。よって、一つ以上の位置調節孔１２２を通じて装着胴体１２１の長さ方向に端末機１０の位置が調節されることができる。
【００３８】
延いては、図１、図２、図３及び図４に示されたように、装着胴体１２１は長長しい六面体形状をすることができる。一つ以上の位置調節孔１２２は、装着胴体１２１の上下方向に貫通される第１位置調節孔１２２aと、装着胴体１２１の前後方向に貫通される第２位置調節孔１２２ｂを含むことができる。よって、端末機１０を装着するために第１及び第２位置調節孔１２２a、１２２ｂを選択することができて端末機１０の位置に対する自由度を向上させることができる。  
【００３９】
連結部１３０は、図１乃至図３に示されたように、かけ台１１０と装着台１２０を連結する構成要素である。例えば、図１乃至図３に示されたように、連結部１３０は第１連結台１３１、第２連結台１３２、第１回動部１３３、そして第２回動部１３４を含むことができる。
【００４０】
第１連結台１３１は装着台１２０の一端と第１端部１１２を連結して、第２連結台１３２は装着台１２０の他端と第２端部１１３を連結する。第１回動部１３３は第１連結台１３１と第１端部１１２を回動可能に連結して、第２回動部１３４は第２連結台１３２と第２端部１１３を回動可能に連結する。よって、第１及び第２連結台１３１、１３２を通じて端末機１０が装着される装着台１２０がかけ台１１０から設定距離が離隔されることができて、図６に示されたように端末機１０と使用者の身体が干渉される現象を阻むことができるし、第１及び第２回動部１３３、１３４を通じて端末機１０の位置に対する自由度を向上させることができる。特に、このような構成を通じて図３に示されたように本願の据置台１００を底に建てて使用することもできる。
【００４１】
特に、連結部１３０は上述したかけ台１１０及び上述した装着台１２０と共に連結されて閉曲線形態の掛けがね形状(loop shape)をなすことができる。よって、このような掛けがね形状を通じて外部衝撃や激しい運動時にも身体に離脱される憂慮を阻むことができる。
【００４２】
延いては、第１及び第２連結台１３１、１３２も板形部材(plate member)でなされることができる。この場合、第１及び第２連結台１３１、１３２の間隔が第１及び第２端部１１２、１１３から装着台１２０に向けてますます小くなるように第１及び第２連結台１３１、１３２はその幅方向に湾曲された形状を有することができる。よって、図４に示されたように、第１及び第２回動部１３３、１３４を利用して第１及び第２連結台１３１、１３２を第１及び第２端部１１２、１１３でそれぞれ折った時第１及び第２連結台１３１、１３２が平たく横になった形状で置かれるようになるので、十分な角度で折畳まれることができる。
【００４３】
また、第１及び第２連結台１３１、１３２にはその長さ方向に長く一つ以上の第２バンドホール(second band hole)１３０ａが形成されることができる。このような第２バンドホール１３０ａは拗じれ強度や撓め強度を補強して使用や補強中に第１及び第２連結台１３１、１３２が拗じれるか、または撓う現象を阻む役割をする。
【００４４】
また、かけ台１１０と連結部１３０は、金属プレート(metal plate)の骨組みと金属プレートを囲む柔軟性ポリマー(polymer)または皮のカバーを含むことができる。前記柔軟性ポリマーはゴムまたはシリコンでなされることができる。
【００４５】
これと併せて、前述した本発明の一実施例によるカメラを具備した端末機用据置台１００は、図１乃至図５に示されたように、装着台１２０に端末機１０を着脱可能に具備する着脱ユニット１４０をさらに含むことができる。
【００４６】
着脱ユニット１４０は、図１及び図５に示されたように、位置調節孔１２２に挿入されるボルト１４１と、そしてボルト１４１に締結されるナット１４２を含むことができる。この場合、端末機１０はボルト１４１またはナット１４２に具備されることができる。一つの例で、図１及び図５には端末機１０がナット１４２上に具備されたことを見せている。
【００４７】
延いては、着脱ユニット１４０は、図２乃至図５に示されたように、球形収容部１４３、ボールコネクター１４４、そしてロックねじ１４５をさらに含むことができる。球形収容部１４３はナット１４２に具備されることもできて、図示されなかったがボルト１４１に具備されることもできる。ボールコネクター１４４は球形収容部１４３に収容されるボール部材１４４ａとボール部材１４４ａの一側に突出形成される固定ねじ１４４ｂを含むことができる。ロックねじ１４５は球形収容部１４３に具備されて、その締めによってボール部材１４４ａの移動を遮断するか、または許可することができる。この場合、端末機１０は固定ねじ１４４ｂに螺合されることができる。よって、ロックねじ１４５を解くか、または締める方式で球形収容部１４３に収容されたボールコネクター１４４のボール部材１４４ａの移動を遮断するか、または許可することができて、端末機１０の位置に対する自由度を向上させることができる。
【００４８】
延いては、着脱ユニット１４０は、図２及び図３に示されたように、固定把持部材１４６と移動把持部材１４７をさらに含むことができる。固定把持部材１４６は固定ねじ１４４ｂに締結されて案内溝(図示せず)が形成されて第１係止突起１４６aを有することができるし、移動把持部材１４７は案内溝にスライディング可能に具備されると共に弾性体(図示せず)によって固定把持部材１４６に弾性結合されて第２係止突起１４７aを有することができる。この場合、端末機１０は第１及び第２係止突起１４６a、１４７aの間に位置されて弾性体の復元力で把持されることができる。また、移動把持部材１４７は固定把持部材１４６に螺合されることもできる。  以下、図７を参照して、本発明の他の実施例によるカメラを具備した端末機用据置台２００に対して詳しく説明する。
図７は、本発明の他の実施例によるカメラを具備した端末機用据置台を概略的に示した図面である。
【００４９】
本発明の他の実施例によるカメラを具備した端末機用据置台２００は、図７に示されたように、電子部品ら２１０、２２０、２３０、２４０、そして２５０がさらに付加されることを除いては上述した本発明の一実施例と同一であるので、以下では電子部品ら２１０、２２０、２３０、２４０、そして２５０を主に説明する。
【００５０】
電子部品らのうちで二次電池２１０は、帯形状を有して連結部１３０またはかけ台１１０に挿入されることができるし、充電端子２２０は装着台１２０に具備されて二次電池２１０と電気的に連結されることができる。よって、充電端子２２０と二次電池２１０を通じて端末機１０を充電することができる与件が設けられることができる。
【００５１】
また、電子部品らのうちで通信モジュール２３０は、外部機器(図示せず)と通信が可能になるようにかけ台１１０または連結部１３０に挿入されることができるし、イヤホン端子２４０はかけ台１１０または連結部１３０に具備されて通信モジュール２３０と外部イヤホン(図示せず)を電気的に連結することができる。ここで、通信モジュール２３０ではブルートゥース（登録商標）などが使用されることができる。よって、料理や運動などの活動中に通信モジュール２３０で連結された外部機器から音声情報や音楽などを聞くことができる。
【００５２】
また、電子部品らのうちでリモコン２５０は、かけ台１１０または連結部１３０に具備されて、通信モジュール２３０と電気的に連結されて外部機器を制御することができる。  以下、図８を参照して、本発明のまた他の実施例によるカメラを具備した端末機用据置台３００に対して詳しく説明する。
図８は、本発明のまた他の実施例によるカメラを具備した端末機用据置台を概略的に示した図面である。
【００５３】
本発明のまた他の実施例によるカメラを具備した端末機用据置台３００は、図８に示されたように、第３連結台３３１、第４連結台３３２、第３回動部３３３、そして第４回動部３３４をさらに含むことを除いては上述した本発明の一実施例と同一であるので、以下では第３連結台３３１、第４連結台３３２、第３回動部３３３、そして第４回動部３３４を主に説明する。
【００５４】
第３連結台３３１は、第１連結台１３１と装着台１２０の一端の間を連結して、第４連結台３３２は第２連結台１３２と装着台１２０の他端との間を連結する。第３回動部３３３は第１連結台１３１と第３連結台３３１を回動可能に連結して、第４回動部３３４は第２連結台１３２と第４連結台３３２を回動可能に連結する。
【００５５】
したがって、前述した本発明の一実施例でさらに付加される第３連結台３３１、第４連結台３３２、第３回動部３３３、そして第４回動部３３４を通じて端末機１０の位置に対する自由度をさらに向上させることができる。
以下、図９及び図１０を参照して、本発明のまた他の実施例によるカメラを具備した端末機用据置台４００に対して詳しく説明する。
【００５６】
図９は、本発明のまた他の実施例によるカメラを具備した端末機用据置台を概略的に示した図面であり、図１０は図９のスタビライザーがボルトの頭に締結された状態を示した断面図である。
【００５７】
本発明のまた他の実施例によるカメラを具備した端末機用据置台４００は、図９及び図１０に示されたように、スタビライザー(stabilizer)４３０が設置される構成がさらに含まれることを除いては上述した本発明の一実施例と同一であるので、以下ではスタビライザー４３０が設置される構成を主に説明する。
【００５８】
スタビライザー４３０が設置される構成は、ヘッド４１０、螺合孔４２０、そしてスタビライザー４３０を含む。ヘッド４１０はボルト１４１またはナット１４２の頭をなす部分であり、螺合孔４２０はヘッド４１０に凹入形成されて、その内周面に螺糸山が形成される。スタビライザー４３０は、締結ボルト部４３１、ハンドル４３２、そして締結ボルト部４３１とハンドル４３２との間に具備されるボールベアリング４３３を含んで被装着物の重心を維持させてくれる公知された技術で、締結ボルト部４３１を螺合孔４２０に締結した後、使用者が据置台４００の重心を取ってから手でハンドル４３２を把持する場合、ボールベアリング４３３を通じて据置台４００の重心を維持させる役割をする。
以下、図１１及び図１２を参照して、本発明のまた他の実施例によるカメラを具備した端末機用据置台５００に対して詳しく説明する。
【００５９】
図１１は、本発明のまた他の実施例によるカメラを具備した端末機用据置台のうち装着台を概略的に示した図面であり、図１２は図１１の装着台をＸＩＩ-ＸＩＩ線で切って見た断面図である。
【００６０】
本発明のまた他の実施例によるカメラを具備した端末機用据置台５００は、図１１及び図１２に示されたように、装着台５２０を除いては上述した本発明の一実施例と同一であるので、以下では装着台５２０を主に説明する。
【００６１】
装着台５２０は、図１１及び図１２に示されたように、円筒バー５２１と連結ユニット５２２を含むことができる。円筒バー５２１は長長しい円筒形状を有して連結部１３０の中心に具備されて、連結ユニット５２２は円筒バー５２１と端末機１０を連結する。
【００６２】
例えば、連結ユニット５２２は、図１１及び図１２に示されたように、円筒バー５２１を収容する英文アルファベット“Ｕ”字形状の連結ブラケット５２２aと、連結ブラケット５２２aの両端部を貫通して具備されて、連結ブラケット５２２aの両端部をお互いに向い合う方向で締めるか、またはその反対に解く両端絞りボルト５２２ｂと、そして連結ブラケット５２２aの中心部の外側に具備されて端末機１０と締結される端末機締結ボルト５２２cを含むことができる。
【００６３】
したがって、使用者が連結ブラケット５２２aを円筒バー５２１の長さ方向に沿って左右移動させて端末機１０が所望の位置に位置されれば、両端絞りボルト５２２ｂを締めて端末機１０をその位置に固定させることができる。
【００６４】
一方、図１に示されたように、かけ台１１０の中心部１１１とかけ台１１０の第２端部１１３(または、第１端部)の間に切開部(図示せず)を置いて第２端部１１３(または、第１端部)が第２回動部(または、第１回動部)１３４を基準に回転されて中心部１１１と分離される場合、本発明の据置台１００を使用者の首の側部で首を向けて移動させて、第２端部１１３(または、第１端部)があった席を通じて使用者の首が挿入されるようにすることもできるであろう。  以上でのように、本発明の実施例らによるカメラを具備した端末機用据置台１００、２００、３００、４００、５００は次のような効果を有することができる。
【００６５】
本発明の実施例らによれば、かけ台１１０と、装着台１２０、５２０と、そして連結部１３０を含む技術構成を提供するので、使用者が運動や料理などのような活動をするうちに使用者の両手が使用される状況である運動する状況や料理する状況などの映像を撮影することができる。
【００６６】
以上で本発明の望ましい実施例に対して詳細に説明したが、本発明の権利範囲はこれに限定されるものではなくて、次の請求範囲で定義している本発明の基本概念を利用した当業者の多くの変形及び改良形態も本発明の権利範囲に属するものである。
【符号の説明】
【００６７】
１００  カメラを具備した端末機用据置台
１１０  かけ台
１１０ａ  第１面
１１０ｂ  第２面
１１０ｃ  第１バンドホール
１１１  中心部
１１２  第１端部
１１３  第２端部
１２０  装着台
１２１  装着胴体
１２２  一つ以上の位置調節孔
１２２a  第１位置調節孔
１２２ｂ  第２位置調節孔
１３０  連結部
１３０ａ  第２バンドホール
１３１  第１連結台
１３２  第２連結台
１３３  第１回動部
１３４  第２回動部
１４０  着脱ユニット
１４１  ボルト
１４２  ナット
１４３  球形収容部
１４４  ボールコネクター
１４４ａ  ボール部材
１４４ｂ  固定ねじ
１４５  ロックねじ
１４６  固定把持部材
１４６a  第１係止突起
１４７  移動把持部材
１４７a  第２係止突起
２００  カメラを具備した端末機用据置台
２１０  二次電池
２２０  充電端子
２３０  通信モジュール
２４０  イヤホン端子
２５０  リモコン
３００  カメラを具備した端末機用据置台
３３１  第３連結台
３３２  第４連結台
３３３  第３回動部
３３４  第４回動部
４００  カメラを具備した端末機用据置台
４１０  ヘッド
４２０  螺合孔
４３０  スタビライザー
５００  カメラを具備した端末機用据置台
５２０  装着台
５２１  円筒バー
５２２  連結ユニット
５２２a  連結ブラケット
５２２ｂ  両端連結ボルト
【図１】
0006440748.tif 000002
【図２】
0006440748.tif 000003
【図３】
0006440748.tif 000004
【図４】
0006440748.tif 000005
【図５】
0006440748.tif 000006
【図６】
0006440748.tif 000007
【図７】
0006440748.tif 000008
【図８】
0006440748.tif 000009
【図９】
0006440748.tif 000010
【図１０】
0006440748.tif 000011
【図１１】
0006440748.tif 000012
【図１２】
0006440748.tif 000013